(57)【要約】【課題】  支持体と、該支持体に塗布した膏薬、及び膏薬面に貼り合わしたフイルムから成る貼付剤であって、皮膚に貼り付けた場合にムレることなく、該ムレに伴う皮膚障害を発生することのない通気性貼付剤の提供。【解決手段】  上記フイルム３と鎮痛消炎薬２などの膏薬に縦方向及び横方向に複数の線状切れ目４，４・・を等間隔で形成し、これら線状切れ目４，４・・を介して通気性をもたらす。【選択図】    図１
2005154394.tif 000002
【特許請求の範囲】
【請求項１】
支持体と、該支持体に塗布した膏薬、及び膏薬面に貼り合わしたフイルムから成る貼付剤において、縦方向及び横方向に複数の線状切れ目を形成したことを特徴とする通気性貼付剤。
【請求項２】
単糸太さが２デシテックス以下のポリエステル繊維から成る不織布、織編物であって、経・緯５０％伸張応力が７Ｎ以下の生地性能を持つ支持体と、該支持体に塗布した膏薬、及び膏薬面に貼り合わしたフイルムから成る貼付剤において、縦方向及び横方向に複数の線状切れ目を形成したことを特徴とする通気性貼付剤。
【請求項３】
単糸太さが２デシテックス以下のポリエステル繊維から成る不織布、織編物であって、経・緯５０％伸張応力が７Ｎ以下の生地性能を持つ支持体と、該支持体に塗布した膏薬、及び膏薬面に貼り合わしたフイルムから成る貼付剤において、上記フイルムと膏薬に縦方向及び横方向に複数の線状切れ目を形成したことを特徴とする通気性貼付剤。
【請求項４】
上記支持体として繊維生地を用い、該繊維生地は単糸太さが５デシテックス以下の複合ポリマーから成る繊維等を一部に含んだ不織布、織物、又は編物であって、経・緯方向に５０％伸張した際の応力が７N以下とした請求項1、請求項２、又は請求項３記載の通気性貼付剤。
【発明の詳細な説明】
【技術分野】
【０００１】
本発明は通気性に優れ、発汗などが原因で起こる「ムレ」による貼着力の低下や皮膚障害を抑制した貼付剤に関するものである。
【背景技術】
【０００２】
打撲や捻挫などによって痛みが発生し、この痛みを抑える為に鎮痛消炎薬を皮膚に塗る場合がある。又、該鎮痛消炎薬を塗布したシップを皮膚に貼ることもあり、所定の大きさの生地に鎮痛消炎薬を塗布しておき、これを痛みのある患部に貼り付ける方がむしろ便利である。従って、今日では色々な鎮痛消炎用のシップ(貼付剤)が市販されている。
【０００３】
皮膚に適用して薬効を発揮するシップ(貼付剤)は色々知られているが、皮膚に長時間貼着することで「カブレ」等の皮膚障害を起こさないことが求められる。皮膚障害を起こす原因の１つに「皮膚呼吸」の妨害や「ムレ」が存在するが、貼付剤と皮膚との間に、皮膚から発生する水分や汗により「ムレ」が起こり、角質層中の起炎物質がその水分中に溶け出し、炎症を引き起こすとされている。
【０００４】
又、「ムレ」に基づいて皮膚障害を起こす他に、貼付剤を貼り付けてから汗をかいてムレるならば、貼付剤は剥がれてしまう。例えば、足の裏面に貼付剤を貼り付けた場合、時間と共に接着力が低下して、遂には剥がれ落ちてしまう。
【０００５】
特開２００１−５７９９１号に係る「通気性貼付剤及びその製造法」は、通気性を備えてムレを防止することが出来る貼付剤である。すなわち、織布又は不織布などの通気性支持体の片面に、膏体ロータリスクリーン印刷方式で、網目の大きさが１０〜６０メッシュの大きさになるように、網目状又は網目で構成されるパターン状に間隙を有して施すことで通気性の優れた貼付剤とし、皮膚呼吸の妨害やムレが緩和され、ムレ易い場所に貼っても剥がれ落ちないようにしている。
【０００６】
膏体が網目状に形成される為に、各膏体間に間隙が存在し、貼付剤全体としての膏体の面積が減少して貼付剤としての効能が低下する。そして、支持体自体にも通気性が備わったものである必要があり、織布や不織布などに限定される。さらに網目状に膏体を印刷しなくてはならず、製造工程も面倒で製造コストは高くなる。
【特許文献１】特開２００１−５７９９１号に係る「通気性貼付剤及びその製造法
【発明の開示】
【発明が解決しようとする課題】
【０００７】
このように、従来の貼付剤には上記のごとき問題がある。本発明が解決しようとする課題はこれら問題点であり、簡単な方法で製造することが出来ると共に、通気性に優れてムレない貼付剤を提供する。
【課題を解決するための手段】
【０００８】
本発明に係る貼付剤は支持体と該支持体面に塗布されている膏薬、そして膏薬に貼り合わされている剥離フイルムから構成されている。そして、貼付剤には不連続の線状切れ目が所定の間隔で縦方向及び横方向に設けられていて、これら切れ目を通して通気性が確保される。そして、皮膚面から発生した汗は該切れ目から外へ排出される。
【０００９】
該切れ目は細長くて貼付剤の膏体面積を減少することは殆どなく、切れ目を形成することによる貼付剤の薬効を低下させることはない。ここで、本発明の貼付剤を構成する支持体の構成は限定しないが、例えば、単糸太さが２デシテックス以下のポリエステル繊維から成る不織布、織編物であって、経・緯５０％伸張応力が７Ｎ以下の生地性能を具備し、該支持体に膏薬を塗布し、そして膏薬面にフイルムを貼り合わした貼付剤に縦方向及び横方向に複数の線状切れ目を形成することが出来る。
【００１０】
又、単糸の太さが５デシテックス以下の複合ポリマーから成る繊維等を一部に含んだ布織布、織物、編物であって、経・緯方向に５０％伸張した際の応力が７N以下の生地性能をもつ繊維生地で構成することが出来、ストレッチと通気性に優れた貼付剤となる。
【００１１】
上記複合ポリマーとは、方法に制限はないが例えば特開２０００−２３９９２７号に係る「ストレッチ性織編物用ポリエステル複合繊維」であり、低粘土側ポリエステルと高粘土側ポリエステルが互いにサイドバイサイド型に複合されたもので、この繊維を用いることで嵩高性に富み、ソフトな風合いを有すストレッチ性織編物となる。
【発明の効果】
【００１２】
本発明に係る貼付剤は線状切れ目が縦方向及び横方向に形成されている為に、これら線状切れ目から空気の出入があり、通気性を備えることが出来る。そして、皮膚から発生した汗は該切れ目から外へ流れ出ることが出来、その為にムレることはなく、長時間にわたって貼り付けていても皮膚障害を起こすことはない。又、汗が切れ目から流れ出ることで、貼り付けた貼付剤が剥がれ落ちるといった事態を防止することも出来る。そして、該線状切れ目は金型にて簡単にプレス加工することが出来、製造コストは安くなる。
【実施例】
【００１３】
図１は支持体である繊維生地に鎮痛消炎薬を塗布した貼付剤を表している。図２は該貼付剤の断面拡大図であり、繊維生地１には鎮痛消炎薬２が塗布されている。そして、該鎮痛消炎薬２の上にはフイルム３が貼着されていて、患部に貼る場合には上記フイルム３を剥がして貼り付けされる。
【００１４】
本発明の貼付剤は図1に示しているように、線状切り目４，４・・が縦方向及び横方向に等間隔で形成されている。この線状切れ目４，４・・は鎮痛消炎薬２、及びフイルム３を貫通した状態で設けられていて、該フイルム3を剥して皮膚に貼り付けた際には該線状切れ目４，４・・から空気の出入りが可能と成って、ムレが防止される。ここで、鎮痛消炎薬2が塗布される繊維生地１は元々通気性が備わっている為に切れ目４，４・・を形成する必要はない。従って、支持体に通気性がない場合であれば、該支持体にも線状切れ目４，４・・が設けられる。
【００１５】
図３は本発明の貼付剤を示す他の実施例である。同図に示しているように、該貼付剤は患部に貼り付けし易いように、フイルム３は３分割されてフイルム３ａ，３ｂ，３ｃから成っている。このようなフイルム形態は従来から知られているが、中央のフイルム３ｂを剥がし、中央部を患部に当ててから両側のフイルム３ａ，３ｃを剥がすことが出来、鎮痛消炎薬が手に付着することもない。勿論、該実施例の貼付剤にも線状切れ目４，４・・が縦方向及び横方向に等間隔で形成されている。
【００１６】
本発明に係る貼付剤は肌に貼り付けた場合のムレを防止し、皮膚障害を起こさないように通気性を確保する為に線状切れ目を形成している。一方、繊維生地１に塗布される鎮痛消炎薬によっては紫外線に当ることで化学反応を引き起こし、これが原因で、皮膚に発疹、爛れ、発赤症などが発生するケースが多い。特に、光線過敏症と診断された経験がある人、医薬品や化粧品、日焼け止め等で過敏症を起こしたことのある人は、鎮痛消炎用シップを使用する際にも同じような症状が起きることがある。
【００１７】
そこで、繊維生地１は塗布される鎮痛消炎薬がアレルギー反応を起こさないように、繊維生地１にて紫外線を吸収し、又は紫外線を反射することで、鎮痛消炎薬に紫外線が当らないように構成することが出来る。ところで、紫外線を吸収したり、反射することが出来る成分は色々存在しているが、肌に悪影響を及ぼす物質であってはならない。
【００１８】
例えば、図４に工程を示すように、ポリエステルフィラメント５６デシテックス３６フィラメントの仮撚加工糸を使用し、２８G×３０ｉｎインターロック組織で編立てして丸編繊維生地を製作する。この丸編繊維生地の片側をカットして所定巾の生地に開反し、これを染色装置によって染色する。
【００１９】
一方、貼付剤の支持体となる繊維生地１は伸縮性に優れていることが必要であり、その為に単糸太さが５デシテックス以下の複合ポリマーから成る繊維を一部に含んで不織布、織物、又は編物を構成することが出来る。そして、該繊維生地１が縦横方向に５０％伸張した際の応力を７N以下となるようにすることで、ストレッチに優れた繊維生地1となる。
【図面の簡単な説明】
【００２０】
【図１】本発明に係る貼付剤を示す実施例。
【図２】貼付剤の断面拡大図。
【図３】本発明に係る貼付剤を示す他の実施例。
【図４】貼付剤を構成する繊維生地の製造工程。
【符号の説明】
【００２１】
１  繊維生地
２  鎮痛消炎薬
３  フイルム
４  線状切り目
【図１】
2005154394.tif 000003
【図２】
2005154394.tif 000004
【図３】
2005154394.tif 000005
【図４】
2005154394.tif 000006